(57)【要約】【課題】簡易な構成で健康状態を判定することができるテレビ受像機、健康管理方法および健康管理プログラムを提供すること。【解決手段】画像表示手段３３と、装置全体を制御する制御手段３１とを備えたテレビ受像機２であって、人体の健康状態を測定する健康測定機器５，６，７が接続されるインターフェース３２を備え、制御手段３１は、健康測定機器５，６，７により人体から測定した測定情報を取得する測定情報取得部３１６と、放送信号から、測定情報の健康評価を行うための評価基準情報を抽出する基準情報抽出部３１２と、抽出した評価基準情報に基づいて、測定情報を評価する測定情報評価部３１６と、測定情報評価部による評価結果を、画像表示手段３３に表示させる評価結果表示部３１６，３１４２とを備える。これにより、放送信号から取得して評価基準情報に基づいて測定情報を評価して健康管理を行うことができる。【選択図】  図２
2006246230.tif 000002
【特許請求の範囲】
【請求項１】
放送信号に含まれる画像信号に応じた画像を表示する画像表示手段と、前記画像表示手段を含む装置全体を制御する制御手段とを備えたテレビ受像機であって、
人体の健康状態を測定する健康測定機器が接続されるインターフェースを備え、
前記制御手段は、
前記健康測定機器により人体から測定した測定情報を取得する測定情報取得部と、
前記放送信号から、前記測定情報の健康評価を行うための評価基準情報を抽出する基準情報抽出部と、
抽出した前記評価基準情報に基づいて、前記測定情報を評価する測定情報評価部と、
前記測定情報評価部による評価結果を、前記画像表示手段に表示させる評価結果表示部とを備えることを特徴とするテレビ受像機。
【請求項２】
請求項１に記載のテレビ受像機において、
前記測定情報および前記評価基準情報を記憶する記憶手段を備え、
前記制御手段は、
前記測定情報を前記記憶手段に記憶させる測定情報記憶部と、
前記評価基準情報を前記記憶手段に記憶させる基準情報記憶部とを備えることを特徴とするテレビ受像機。
【請求項３】
請求項２に記載のテレビ受像機において、
前記制御手段は、
前記記憶手段に記憶された測定情報を集計する測定情報集計部と、
前記測定情報集計部による集計結果を、前記画像表示手段に表示させる集計結果表示部とを備えることを特徴とするテレビ受像機。
【請求項４】
請求項１から請求項３のいずれかに記載のテレビ受像機において、
前記評価基準情報が含まれる放送信号は、デジタル放送信号であることを特徴とするテレビ受像機。
【請求項５】
放送信号に含まれる画像信号に応じた画像を表示する画像表示手段と、前記画像表示手段を含む装置全体を制御する制御手段と、人体の健康状態を測定する健康測定機器が接続可能なインターフェースとを備えたテレビ受像機に用いられ、前記健康測定機器から入力される測定情報を管理する健康管理方法であって、
前記制御手段に、
前記健康測定機器により人体から測定した測定情報を、前記インターフェースを介して、前記健康測定機器から取得する測定情報取得ステップと、
前記放送信号から、前記測定情報の健康評価を行うための評価基準情報を抽出する基準情報抽出ステップと、
抽出した前記評価基準情報に基づいて、前記測定情報を評価する測定情報評価ステップと、
前記測定情報評価ステップによる評価結果を、前記画像表示手段に表示させる評価結果表示ステップとを実行させることを特徴とする健康管理方法。
【請求項６】
放送信号に含まれる画像信号に応じた画像を表示する画像表示手段と、前記画像表示手段を含む装置全体を制御する制御手段と、人体の健康状態を測定する健康測定機器が接続可能なインターフェースとを備えたテレビ受像機に用いられ、前記健康測定機器から入力される測定情報を管理するために、前記制御手段上で実行可能な健康管理プログラムであって、
前記制御手段に、
前記健康測定機器により人体から測定した測定情報を、前記インターフェースを介して、前記健康測定機器から取得する測定情報取得ステップと、
前記放送信号から、前記測定情報の健康評価を行うための評価基準情報を抽出する基準情報抽出ステップと、
抽出した前記評価基準情報に基づいて、前記測定情報を評価する測定情報評価ステップと、
前記測定情報評価ステップによる評価結果を、前記画像表示手段に表示させる評価結果表示ステップとを実行させることを特徴とする健康管理プログラム。
【発明の詳細な説明】
【技術分野】
【０００１】
本発明は、放送信号に含まれる画像信号に応じた画像を表示する画像表示手段と、前記画像表示部を含む装置全体を制御する制御手段とを備えたテレビ受像機、当該テレビ受像機に接続された健康測定機器から入力される測定情報を管理する健康管理方法、および、健康管理プログラムに関する。
【背景技術】
【０００２】
従来、放送信号から画像信号および音声信号を取得し、当該画像信号に係る画像を形成表示するとともに、当該音声信号に係る音声を出力するテレビ受像機が知られている。このようなテレビ受像機は、現代では、一般家庭に広く普及している。また、近年、従来のアナログ放送に代わるデジタル放送が開始され、家電製品の中でテレビ受像機が、より重要な情報発信源となることが期待されている。
【０００３】
ところで、従来、健康管理のために、体重計、血圧計、体脂肪計等の多くの健康測定機器が知られており、このような健康管理機器から得られる測定情報を基に、健康状態を評価する健康情報表示装置が知られている（例えば、特許文献１参照）。
このような健康情報表示装置は、使用者の身長、体重、年齢、性別等の個人情報を入力し、当該健康情報表示装置に設けられた電極により生体インピーダンスを測定すると、ＢＭＩ（肥満度）、体脂肪率および腹部内臓脂肪横断面積を含む健康指標が演算、表示されるように構成されている。これにより、使用者は、肥満に関連する健康状態を簡易に把握することができる。
【０００４】
また、健康測定機器をパーソナルコンピュータ（Personal Computer；ＰＣ）に接続し、当該健康測定機器から入力する測定情報を、ＰＣで管理する健康管理システムが知られている。この健康管理システムでは、健康測定機器による測定結果である測定情報をＰＣで管理し、健康状態の推移や傾向を確認することができるように構成されている。また、この健康管理システムでは、ＰＣからインターネットを介してサーバに接続し、当該サーバに測定情報を送信することにより、サーバから当該測定情報に応じたアドバイスを受けることができるように構成されている。このような健康管理システムにより、各健康管理機器で測定したデータの管理を簡易に行うことができる。
【０００５】
【特許文献１】特開２００３−１１１７３４号公報
【発明の開示】
【発明が解決しようとする課題】
【０００６】
しかしながら、特許文献１に記載の健康情報表示装置では、健康状態を示す健康指標は、当該健康情報表示装置の内部に記憶された計算式によって算出され、当該健康情報表示装置は、外部に接続する手段を有しておらず、計算式が更新されることがない。このため、計算式等を更新する必要に迫られた場合でも、容易に更新することができないという問題がある。
また、特許文献１に記載の健康情報表示装置を、前述の健康管理システムのようにインターネットに接続して、健康指標を算出する計算式を更新することも考えられるが、このような場合、インターネットに接続する装置を健康情報表示装置に設ける必要があり、構成が複雑になるという問題と、健康情報表示装置が設けられる環境に制限が加わるという問題がある。
さらに、インターネットに接続する場合には、当該インターネット接続の設定を行う必要がある。しかしながら、このような設定操作は複雑な操作を要求するため、一般的に設定操作に不慣れとされる使用者に、過度の要求を強いるという問題がある。
このような問題から、構成を簡易とし、操作が簡便な健康管理システムを実現できる機器が要望されていた。
【０００７】
本発明の目的は、簡易な構成で健康状態を判定することができるテレビ受像機、健康管理方法、および、健康管理プログラムを提供することである。
【課題を解決するための手段】
【０００８】
前記した目的を達成するために、本発明のテレビ受像機は、放送信号に含まれる画像信号に応じた画像を表示する画像表示手段と、前記画像表示手段を含む装置全体を制御する制御手段とを備えたテレビ受像機であって、人体の健康状態を測定する健康測定機器が接続されるインターフェースを備え、前記制御手段は、前記健康測定機器により人体から測定した測定情報を取得する測定情報取得部と、前記放送信号から、前記測定情報の健康評価を行うための評価基準情報を抽出する基準情報抽出部と、抽出した前記評価基準情報に基づいて、前記測定情報を評価する測定情報評価部と、前記測定情報評価部による評価結果を、前記画像表示手段に表示させる評価結果表示部とを備えることを特徴とする。
【０００９】
本発明によれば、テレビ受像機が、放送信号から抽出した評価基準情報に基づいて、健康測定機器から取得した測定情報を評価して、画像表示手段に表示することができる。従って、インターネットに接続するような環境をテレビ受像機に設けることなく、最新の評価基準情報に基づいて測定情報を評価することができるとともに、構成を簡略化することができる。
【００１０】
すなわち、テレビ受像機の制御手段を構成する測定情報取得部が、テレビ受像機のインターフェースに接続された健康測定機器から、当該健康測定機器の測定結果である測定情報が取得される一方で、基準情報抽出部が、測定情報を評価するための評価基準情報を放送信号から抽出し、測定情報評価部により、当該評価基準情報に基づいて、取得した測定情報を評価する。そして、評価結果表示部は、測定情報評価部による評価結果を、テレビ受像機の画像表示手段に表示する。
これによれば、放送信号を受信してテレビ画像を表示するテレビ受像機において、健康管理を行うことができるとともに、テレビ受像機が、当該放送信号に含まれる評価基準情報を抽出して、健康測定機器から取得した測定情報を評価するので、健康評価を実施する際に、最新の評価基準情報をインターネットに接続して取得したり、インターネット上のサーバ等に評価を依頼したりするような環境および処理を不要とすることができる。また、テレビ受像機は、当該テレビ受像機に接続された健康測定機器から、当該健康測定機器により測定した測定結果である測定情報を取得するので、使用者自身が測定情報をテレビ受像機に入力する等の手間を省くことができる。
従って、構成が簡易で、操作が簡便な健康管理を行うことができるテレビ受像機を提供することができる。
【００１１】
本発明では、前記測定情報および前記評価基準情報を記憶する記憶手段を備え、前記制御手段は、前記測定情報を前記記憶手段に記憶させる測定情報記憶部と、前記評価基準情報を前記記憶手段に記憶させる基準情報記憶部とを備えることが好ましい。
本発明によれば、制御手段の測定情報記憶部が、前述の測定情報取得部により健康測定機器から取得した測定情報を記憶手段に記憶するので、取得した測定情報を蓄積することができ、前述の測定情報評価部により、過去の測定情報とあわせて測定情報の評価を行うことができる。従って、より信頼性の高い評価を得ることができる。また、測定情報の取得と評価とを別の時間で行うことができる。さらに、基準情報記憶部により、抽出した評価基準情報を記憶手段に記憶するので、放送信号から評価基準情報が抽出できない場合であっても、前述の測定情報評価部が、記憶手段に記憶された評価基準情報から測定情報の評価を行うことができる。
従って、使用者の所望の時間に、健康状態の評価を受けることができる。
【００１２】
本発明では、前記制御手段は、前記記憶手段に記憶された測定情報を集計する測定情報集計部と、前記測定情報集計部による集計結果を、前記画像表示手段に表示させる集計結果表示部とを備えることが好ましい。
本発明によれば、制御手段の測定情報集計部が、記憶手段に記憶された測定情報を集計し、当該集計結果を、測定情報表示ステップが画像表示手段に表示させるので、過去の測定情報に基づく健康状態の推移や傾向を把握することができる。従って、健康状態の多様な評価を行うことができる。
【００１３】
本発明では、前記評価基準情報が含まれる放送信号は、デジタル放送信号であることが好ましい。
本発明によれば、デジタル放送信号から評価基準情報を取得することにより、アナログ放送信号に比べ、多量の情報を取得することが可能となる。従って、評価基準情報として多くの情報を取得することができ、一層多様な健康評価を行うことができる。
【００１４】
また、本発明の健康管理方法は、放送信号に含まれる画像信号に応じた画像を表示する画像表示手段と、前記画像表示手段を含む装置全体を制御する制御手段と、人体の健康状態を測定する健康測定機器が接続可能なインターフェースとを備えたテレビ受像機に用いられ、前記健康測定機器から入力される測定情報を管理する健康管理方法であって、前記制御手段に、前記健康測定機器により人体から測定した測定情報を、前記インターフェースを介して、前記健康測定機器から取得する測定情報取得ステップと、前記放送信号から、前記測定情報の健康評価を行うための評価基準情報を抽出する基準情報抽出ステップと、抽出した前記評価基準情報に基づいて、前記測定情報を評価する測定情報評価ステップと、前記測定情報評価ステップによる評価結果を、前記画像表示手段に表示させる評価結果表示ステップとを実行させることを特徴とする。
【００１５】
本発明によれば、前述のテレビ受像機と同様の効果を奏することができる。
すなわち、本発明の健康管理方法が実行されると、測定情報取得ステップにより、テレビ受像機に接続された健康測定機器から、当該健康測定機器の測定結果である測定情報が取得され、基準情報抽出ステップにより、評価基準情報が放送信号から抽出される。また、測定情報評価ステップにより、評価基準情報に基づいて測定情報の評価が行われ、当該評価結果は、評価結果表示ステップにより、画像表示手段に表示される。
これによれば、テレビ受像機で健康測定機器の測定情報に基づく健康管理を行うことができる。また、評価基準情報を放送信号から取得して測定情報を評価するので、評価基準情報の取得に際して、インターネット等に接続する必要性を無くすことができる。また、測定情報は、テレビ受像機が接続された健康測定機器から取得するので、使用者が測定情報をテレビ受像機に入力する等の手間を省くことができる。従って、構成を簡素化することができ、健康管理を実行する際の操作を簡略化することができる。
【００１６】
また、本発明の健康管理プログラムは、放送信号に含まれる画像信号に応じた画像を表示する画像表示手段と、前記画像表示手段を含む装置全体を制御する制御手段と、人体の健康状態を測定する健康測定機器が接続可能なインターフェースとを備えたテレビ受像機に用いられ、前記健康測定機器から入力される測定情報を管理するために、前記制御手段上で実行可能な健康管理プログラムであって、前記制御手段に、前記健康測定機器により人体から測定した測定情報を、前記インターフェースを介して、前記健康測定機器から取得する測定情報取得ステップと、前記放送信号から、前記測定情報の健康評価を行うための評価基準情報を抽出する基準情報抽出ステップと、抽出した前記評価基準情報に基づいて、前記測定情報を評価する測定情報評価ステップと、前記測定情報評価ステップによる評価結果を、前記画像表示手段に表示させる評価結果表示ステップとを実行させることを特徴とする。
【００１７】
本発明によれば、前述の健康管理方法と同様の効果を奏することができる。
すなわち、本発明の健康管理プログラムを制御手段上で実行することにより、当該制御手段は、測定情報取得ステップで、健康測定機器から測定情報を取得し、基準情報抽出ステップで、放送信号から評価基準情報を取得し、当該評価基準情報に基づいて、測定情報評価ステップで、測定情報を評価する。また、この評価結果を、評価結果表示ステップで画像表示手段に表示する。
これによれば、テレビ受像機に健康測定機器を接続し、健康管理プログラムを実行することで、当該健康測定機器の測定情報、および、放送信号から抽出した評価基準情報に基づく健康状態の評価を得ることができる。従って、健康管理を簡便にテレビ受像機で行うことができる。
また、評価基準情報は放送信号から取得するので、インターネット接続機器等の設置および設定を不要とすることができるので、健康状態の評価を行うことのできるテレビ受像機の構成を簡素化することができる。
さらに、このような健康管理プログラムをテレビ受像機に搭載し、当該健康管理プログラムを実行させるようにすることにより、任意のテレビ受像機での健康管理を可能とすることができる。
【発明を実施するための最良の形態】
【００１８】
以下、本発明の実施形態を図面に基づいて説明する。
（１）テレビ受像システム１の構成
図１は、本発明のテレビ受像機を含むテレビ受像システムの構成を示す模式図である。
本実施形態のテレビ受像システム１は、テレビ受像機２と、当該テレビ受像機に接続される健康測定機器としての体重計５、血圧計６および骨密度計７と、プリンタ８とを備えて構成されている。
テレビ受像機２は、受像機本体３と、リモートコントローラ（以下、リモコンと略す場合がある）４とから構成されている。
このうち、受像機本体３は、放送信号に含まれる画像情報および音声情報を抽出して、当該画像情報に応じた画像を形成・表示するとともに、当該音声情報に応じた音声を出力する。また、この受像機本体３は、同じく放送信号に含まれ、後述する健康測定機器５，６，７から入力する測定情報の評価基準となる評価基準情報を抽出して取得する。なお、受像機本体３の構成は、後に詳述する。
【００１９】
リモコン４は、複数のキーを備え、ユーザによりキーが入力されると、当該入力キーに応じた制御信号を赤外線により受像機本体３に送信する。このようなキーとして、チャンネルを切り替えるための数字が表記されたチャンネルキー、入力ソースを切り替える入力切替キー、音量を上下させる音量調節キー等が設けられている。また、後述する測定情報取得処理ＳＡおよび測定情報表示処理ＳＥを、受像機本体３に実行させる健康管理キーや、表示される画面の項目を選択する上下キー、選択した項目を確定する確定キー、選択状態を取り消す取消キーおよび画面を印刷する印刷キー等を備えている。
なお、リモコン４は赤外線によって操作信号を出力するとしたが、電波によって送信するように構成してもよい。
【００２０】
健康測定機器５，６，７は、それぞれ使用者の健康状態を測定して、測定結果としての測定情報を受像機本体３に出力する。このような健康測定機器として、本実施形態では、体重および体脂肪率を測定する体重計５と、血圧を測定する血圧計６と、骨密度を測定する骨密度計７が用いられている。
このうち、体重計５は、体重を測定するとともに、入力された身長データから体脂肪率を算出する。血圧計６は、最高血圧と最低血圧を測定する。骨密度計７は、手首等の骨にＸ線を照射して、その組織吸収率により骨密度を測定する。なお、骨密度の計測方法については、様々な検査方法があるので、適宜変更してよい。
これら体重計５、血圧計６および骨密度計７は、それぞれＵＳＢ（Universal Serial Bus）端子を備えており、当該ＵＳＢ端子により、受像機本体３に設けられた後述するインターフェース基板３２の外部インターフェース３２２，３２３，３２４に接続される。また、体重計５、血圧計６および骨密度計７は、受像機本体３からの測定情報要求信号に応じて、それぞれの測定情報を受像機本体３に出力するように構成されている。
また、プリンタ８は、受像機本体３の外部インターフェース３２５に接続され、受像機本体３の制御下で、当該受像機本体３から入力する印刷情報に基づく画像を印刷する。
【００２１】
（２）受像機本体３の内部構成
図２は、受像機本体３の内部構成を示すブロック図である。
受像機本体３は、前述のように、放送信号に含まれる画像情報および音声情報を取得して、当該画像情報に応じた画像を形成・表示するとともに、当該音声情報に応じた音声を出力する。また、ＤＶＤ（Digital Versatile Disc）プレイヤ等の再生装置が接続された場合には、受像機本体３は、当該再生装置から入力する画像情報および音声情報に応じた画像および音声を表示、出力する。
この受像機本体３は、図２に示すように、制御基板３１と、インターフェース基板３２と、画像表示部３３と、スピーカ３４と、フラッシュメモリ３５とを備えて構成されている。
【００２２】
このうち、インターフェース基板３２は、制御基板３１と、外部機器としての健康測定機器５，６，７およびプリンタ８とを接続するものであり、入出力する制御信号およびデータの信号変換等を行う。このインターフェース基板３２は、リモコンインターフェース３２１と、４つの外部インターフェース（ＩＦ）３２２，３２３，３２４，３２５とを備えている。
リモコンインターフェース３２１は、前述のリモコン４から出力された赤外線信号としての制御信号を受信し、当該制御信号を制御基板３１で処理できる形式に変換して、後述する制御基板３１のシステムコントローラ３１９に出力する。
外部インターフェース３２２〜３２５は、ＵＳＢ端子を備えて構成され、入出力情報の変換等を行っている。これら外部インターフェース３２２〜３２５のうち、外部インターフェース３２２には体重計５が、外部インターフェース３２３には血圧計６が、外部インターフェース３２４には骨密度計７が、そして、外部インターフェース３２５にはプリンタ８が接続されている。
【００２３】
画像表示部３３は、後述する制御基板３１の画像情報処理系３１４から出力される画像信号に応じた画像を形成、表示するものであり、本実施形態では、液晶パネルおよび液晶パネル駆動回路を備えて構成されている。すなわち、本実施形態の受像機本体３は、液晶テレビとして構成されている。
スピーカ３４は、後述する制御基板３１の音声信号処理回路３１３と接続され、当該音声信号処理回路３１３から出力される音声信号に応じた音声を出力する。
フラッシュメモリ３５は、本発明の記憶手段に相当し、後述する制御基板３１のシステムコントローラ３１９と電気的に接続され、後述する測定情報取得処理ＳＡおよび測定情報表示処理ＳＥに係る測定情報、評価基準情報および個人情報が記憶される。
【００２４】
制御基板３１は、本発明の制御手段に相当し、受像機本体３の装置全体を制御する回路基板として構成されている。
この制御基板３１は、チューナ３１１、デマルチプレクサ３１２、音声信号処理回路３１３、画像情報処理系３１４、基準情報処理回路３１５、ＣＰＵ（Central Processing Unit）３１６、ＲＯＭ（Read Only Memory）３１７、ＲＡＭ（Random Access Memory）３１８、および、システムコントローラ３１９を備えて構成され、これらがバスＢを介して互いに接続されている。
【００２５】
チューナ３１１は、アンテナから入力する放送信号から、使用者が選択したチャンネルに応じた周波数の放送信号を選択して受信し、一定周波数の信号に変換してデマルチプレクサ３１２に出力する。
デマルチプレクサ３１２は、本発明の基準情報抽出部に相当し、チューナ３１１により変換された信号から、音声情報、画像情報および評価基準情報を分離、抽出する。これらのうち、抽出した音声情報は、音声信号処理回路３１３に出力され、抽出された画像情報は画像情報処理系３１４に出力され、評価基準情報は、基準情報処理回路３１５に出力される。
音声信号処理回路３１３は、デマルチプレクサ３１２で抽出された音声情報、および、外部機器から入力する音声情報を処理して当該音声情報に基づく音声信号を生成し、当該音声信号をスピーカ３４に出力する。そして、このスピーカ３４は、当該音声信号に応じた音声を出力する。
【００２６】
画像情報処理系３１４は、デマルチプレクサ３１２で抽出された画像情報、および、外部機器から入力する画像情報を処理して当該画像情報に基づく画像信号を生成し、当該画像信号を画像表示部３３に出力する。この画像情報処理系３１４は、映像信号処理回路３１４１、描画処理回路３１４２、フレームメモリ３１４３および画像出力回路３１４４とを備えている。
【００２７】
映像信号処理回路３１４１は、デマルチプレクサ３１２で分離、抽出された画像情報、および、外部機器から入力する画像情報を処理して、再生可能な１フレームごとの画像信号にデコードする。
描画処理回路３１４２は、本発明の評価結果表示部および集計結果表示部を構成し、スケーラおよびＯＳＤ処理回路を備えて構成されている。このうち、スケーラは、画像表示部３３の解像度に合うように、表示画像のスケールを調整する。また、ＯＳＤ処理回路は、後述するＣＰＵ３１６の制御下でＲＯＭ３１７およびＲＡＭ３１８を参照して、これらに記憶された各種情報に基づくＯＳＤメニュー画面、後述するユーザ選択画面９１、項目選択画面９２，９２Ａ、集計結果画面９３および評価結果画面９４を生成する。
フレームメモリ３１４３は、描画処理回路３１４２および画像出力回路３１４４に接続され、画像表示部３３で表示される画像の１フレームに相当する情報を描画処理回路３１４２から受け取って記憶し、画像出力回路３１４４に出力する。
画像出力回路３１４４は、フレームメモリ３１４３に書き込まれた表示画像の情報を読み取って、表示画像信号として画像表示部３３に出力する。
【００２８】
基準情報処理回路３１５は、本発明の基準情報記憶部に相当し、デマルチプレクサ３１２で抽出された評価基準情報を処理して、フラッシュメモリ３５に記憶させる。具体的に、基準情報処理回路３１５は、抽出された評価基準情報を、項目ごとに分類してフラッシュメモリ３５に記憶させる。
この評価基準情報は、例えば、年齢別の体重、体脂肪率および骨密度（ＢＭＤ）の平均値、ＢＭＩ（肥満度）の基準値、最高血圧および最低血圧による血圧の分類等が挙げられる。
このような評価基準情報は、本実施形態では、放送信号に含まれて搬送され、受像機本体３が、受信した放送信号から評価基準情報を抽出して取得することにより、後述する健康管理を行うことができるように構成されている。
【００２９】
ＲＯＭ３１７は、後述するＣＰＵ３１６で実行されるプログラムや、当該プログラムの実行時に利用される各種データを記憶している。具体的に、ＲＯＭ３１７には、プログラムとして、受像機本体３を制御するための制御プログラム、および、後述する健康管理処理（測定情報取得処理ＳＡおよび測定情報表示処理ＳＥ）を実行するための健康管理プログラム等が記憶され、また、データとして、画像表示部３３に表示されるＯＳＤ（On Screen Display）メニューのテンプレート画像等が記憶されている。
ＲＡＭ３１８は、ＲＯＭ３１７に記憶されたプログラムや各種データを、当該プログラムやデータがＣＰＵ３１６で利用される際に、一時的に記憶する。
【００３０】
システムコントローラ３１９は、ＣＰＵ３１６の機能を補助するものであり、主に制御基板３１に対するデータ入出力を制御する。このシステムコントローラ３１９には、フラッシュメモリ３５およびインターフェース基板３２が接続されており、フラッシュメモリ３５に記録された情報の読込み、および、当該フラッシュメモリ３５への情報の書込みを制御するとともに、インターフェース基板３２に対するデータの入出力制御を行う。
また、このシステムコントローラ３１９は、インターフェース基板３２の外部インターフェース３２５に接続されたプリンタ８に対して印刷用の画像情報および制御信号を出力して、当該画像情報に基づく画像の印刷をプリンタ８に実行させる。
【００３１】
図３は、ＣＰＵ３１６の機能分類を示すブロック図である。
ＣＰＵ３１６は、制御基板３１全体の駆動を制御するものであり、ＲＯＭ３１７から制御プログラムを読み込んで実行し、各構成部品に制御信号を出力する。また、ＣＰＵ３１６は、必要に応じてＲＯＭ３１７から健康管理プログラムを読み込んで実行する。
このＣＰＵ３１６は、機能的に、測定情報取得部３１６１と、測定情報記憶部３１６２と、測定情報評価部３１６３と、評価結果表示指示部３１６４と、測定情報集計部３１６５と、集計結果表示指示部３１６６とを備えている。
【００３２】
測定情報取得部３１６１は、後述するインターフェース基板３２に接続された体重計５、血圧計６および骨密度計７から、それぞれの測定情報を取得する。具体的には、インターフェース基板３２の外部インターフェース３２２，３２３，３２４のいずれかに、体重計５、血圧計６および骨密度計７等の健康測定機器が接続されると、システムコントローラ３１９が当該健康測定機器の接続を検知して、測定情報取得部３１６１に信号を出力する。そして、当該信号が入力した測定情報取得部３１６１は、接続された健康測定機器に対して測定情報の要求信号を出力して、当該健康測定機器から測定情報を取得する。取得された測定情報は、測定情報取得部３１６１により、ＲＡＭ３１８に一時的に記憶させる。
【００３３】
測定情報記憶部３１６２は、測定情報取得部３１６１で取得した測定情報を、測定者（ユーザ）および測定日ごとに区分して、フラッシュメモリ３５に記憶させる。具体的に、測定情報記憶部３１６２は、フラッシュメモリ３５のルートディレクトリにユーザ名のフォルダを作成し、当該フォルダ名に対応するユーザの測定情報を格納する。そして、測定情報記憶部３１６２は、取得した測定情報を、測定日および測定項目ごとに区分してフラッシュメモリ３５に記憶させる。
【００３４】
測定情報評価部３１６３は、前述の基準情報処理回路３１５により取得され、フラッシュメモリ３５に記憶された評価基準情報と、測定情報記憶部３１６２によりフラッシュメモリ３５に記憶された測定情報とを比較して、当該測定情報に係る測定者（ユーザ）の健康状態をＡ〜Ｅの５段階で評価する。このような５段階評価においては、Ａが最も良く、Ｅが最も悪いとしている。
具体的に、測定情報評価部３１６３は、体重計５から得られる測定情報としての体重データおよび身長データから、肥満度を算出し、当該ＭＢＩを、評価基準情報から得られる肥満度分布と比較する。例えば、身長データが１７１ｃｍであり、体重データが６６ｋｇである場合には、肥満度は２２．６と算出され、この肥満度の値を肥満度分布と比較すると、１８．５以上２５未満となるため、「Ａ（正常）」と評価される。
同様に、体重計５から得られる測定情報としての体脂肪率、年齢および性別と、評価基準情報から得られる体脂肪率適性範囲とを比較して、当該体脂肪率が適性範囲か否かを評価する。例えば、年齢が３０歳以上の男性であり、体脂肪率が２０％の場合、評価基準情報から得られた適性範囲（１７〜２４％）と比較して、当該測定情報の測定者は、「Ａ（正常）」と評価される。
【００３５】
また、測定情報評価部３１６３は、血圧計６から得られる測定情報としての最高血圧および最低血圧と、評価基準情報から得られる血圧分類とを評価する。例えば、最高血圧が１４２であり、最低血圧が９５である場合には、当該測定情報の測定者（ユーザ）は、「Ｂ）（高血圧（軽症））」と評価される。
さらに、測定情報評価部３１６３は、骨密度計７から得られる測定情報としての骨密度および年齢と、評価基準情報から得られる年齢別の平均値とを比較して評価する。例えば、骨密度が０．４（ｇ／ｍ２）であり、年齢が３０歳である場合、３０歳の平均骨密度は、０．５（ｇ／ｍ２）であるので、「Ｂ（平均以下（軽症））」と評価される。
このような測定情報の評価を行った測定情報評価部３１６３は、当該評価結果をＲＡＭ３１８に記憶させるとともに、評価結果表示指示部３１６４に、評価が終了した旨の制御信号を出力する。
【００３６】
評価結果表示指示部３１６４は、描画処理回路３１４２とともに本発明の評価結果表示部を構成し、測定情報評価部３１６３による評価結果を示す画像を、描画処理回路３１４２に形成させ、当該画像を画像表示部３３に表示させる。
具体的に、評価結果表示指示部３１６４は、測定情報評価部３１６３による測定情報の評価が終了した旨の制御信号が入力すると、描画処理回路３１４２に、評価結果画像の形成信号を出力する。この形成信号が入力した描画処理回路３１４２は、ＲＯＭ３１７に記憶されたテンプレート画像を参照し、また、ＲＡＭ３１８に記憶された評価結果を参照して、評価結果画像を形成、表示する。
【００３７】
測定情報集計部３１６５は、測定情報記憶部３１６２によってユーザごとにフラッシュメモリ３５に蓄積された測定情報を集計してグラフ化する。
例えば、ユーザ名、測定日および体重データから、ユーザの日ごとの体重の推移をグラフ化したデータを生成する。同様に、測定者、測定日および血圧データから血圧の推移をグラフ化し、また、測定者、測定日および骨密度から骨密度の推移をグラフ化した集計結果情報を生成する。さらに、日ごとではなく、ある特定の日付（例えば、各月の１日）に測定した測定情報に基づいて、月単位でグラフ化した集計結果情報の生成も可能であり、また、月単位で平均値を算出して、これらの平均値をグラフ化した集計結果情報の生成も可能とされている。
このような測定情報の集計を行った測定情報集計部３１６５は、生成した集計結果情報をＲＡＭ３１８に記憶させるとともに、集計結果表示指示部３１６６に、集計が終了した旨の制御信号を出力する。
【００３８】
集計結果表示指示部３１６６は、描画処理回路３１４２とともに本発明の集計結果表示部を構成し、測定情報集計部３１６５で生成された集計結果情報に基づく集計結果画像９３を、画像表示部３３に表示させる。具体的に、集計結果表示指示部３１６６は、集計が終了した旨を示す制御信号が測定情報集計部３１６５から入力すると、ＲＯＭ３１７に記憶されたテンプレート画像を参照し、また、ＲＡＭ３１８に記憶された集計結果情報を参照して、集計結果画像９３を形成、表示する。
【００３９】
（３）測定情報取得処理ＳＡ
図４および図５は、受像機本体３による測定情報取得処理ＳＡ、および、健康測定機器による測定情報出力処理ＳＢの処理フローを示す図である。なお、図４および図５では、測定情報の取得元の健康測定機器として、体重計５を挙げて説明している。
次に、受像機本体３による健康測定機器からの測定情報の取得処理ＳＡ、および、当該健康測定機器による測定情報の出力処理ＳＢについて説明する。なお、以下の説明では、測定情報の取得元として体重計５を例示するが、他の健康測定機器、例えば、血圧計６および骨密度計７の場合も同様である。
【００４０】
受像機本体３が健康測定機器から測定情報を取得する場合においては、受像機本体３と健康測定機器とを物理的に接続した後、それぞれの通信接続を確立する必要がある。
このため、受像機本体３の制御基板３１を構成するシステムコントローラ３１９は、健康測定機器が接続されることを待機しつつ（処理ＳＡ１１）、当該健康測定機器の接続が検出されたか否かの判定を行っている（処理ＳＡ１２）。
ここで、システムコントローラ３１９が、接続を検出していない場合は、処理ＳＡ１１に戻り、健康測定機器の接続待機を継続する。
一方、健康測定機器としての体重計５が、受像機本体３のインターフェース基板３２を構成する外部インターフェース３２２に接続され（処理ＳＢ１１）、当該接続を、システムコントローラ３１９が検出した場合には、接続が検出された体重計５に対して、通信接続を確立するための応答を要求する応答要求信号を出力し（処理ＳＡ１３）、体重計５からの応答信号の入力を待機する（処理ＳＡ１４）。
【００４１】
体重計５は、処理ＳＢ１１にて、外部インターフェース３２２に接続された後、受像機本体３からの応答要求信号の入力を待機し（処理ＳＢ１２）、当該応答要求信号が入力したか否かを判定している（処理ＳＢ１３）。
ここで、応答要求信号が入力しない場合には、体重計５は、再び処理ＳＢ１２に戻り、応答要求信号の入力待機を継続する。
一方、応答要求信号が入力した場合には、体重計５は、受像機本体３に対して応答要求信号に対する応答信号を出力し（処理ＳＢ１４）、受像機本体３との通信接続を確立する（処理ＳＢ１５）。この際、体重計５は、応答信号とともに機種情報を受像機本体３に出力する。
【００４２】
処理ＳＡ１４により、応答信号の入力待機状態にあった受像機本体３のシステムコントローラ３１９は、当該応答信号が入力したか否かの判定を行う（処理ＳＡ１５）。
ここで、応答信号の入力を検出しなかった場合には、再び処理ＳＡ１４に戻り、当該応答信号の入力待機を継続する。
一方、応答信号の入力を検出した場合には、システムコントローラ３１９は、体重計５との通信接続を確立する（処理ＳＡ１６）。
【００４３】
互いの通信接続が確立した受像機本体３と体重計５のうち、受像機本体３は、図５に示すように、体重計５から応答信号とともに入力する機種情報を処理して、外部インターフェース３２２に接続された機器の機種を確定する（処理ＳＡ１７）。これにより、受像機本体３は、体重計５が接続されたことを検出することができる。
この後、受像機本体３のシステムコントローラ３１９は、ＣＰＵ３１６に対して、体重計５との通信接続が確立したことを示す制御信号を出力し、当該制御信号が入力したＣＰＵ３１６の測定情報取得部３１６１は、システムコントローラ３１９を介して、測定情報を要求する測定情報要求信号を、体重計５に応じた形式で、当該体重計５に出力する（処理ＳＡ１８）。また、この際、測定情報取得部３１６１は、当該要求信号を出力してからの時間の計測を開始し、体重計５から測定情報が入力するのを待機する（処理ＳＡ１９）。
【００４４】
一方、体重計５は、処理ＳＢ１５による通信接続の確立の後、図５に示すように、体重および体脂肪率等の健康情報の測定を人体に対して行う（処理ＳＢ１６）。なお、この処理ＳＢ１６による測定の開始は、処理ＳＢ１５による接続の確立がなされる前に行うようにしてもよい。
この後、体重計５は、受像機本体３からの測定情報要求信号の入力を待機し（処理ＳＢ１７）、当該要求信号が入力したか否かの判定を行う（処理ＳＢ１８）。なお、処理ＳＢ１６による健康情報の測定中に、測定情報要求信号が入力した場合には、当該要求信号が入力したことを記憶しておき、測定終了後に、処理ＳＢ１８による判定を行う。
【００４５】
ここで、測定情報要求信号の入力を検出しなかった場合には、体重計５は、処理ＳＢ１７に戻り、当該要求信号の入力待機を継続する。
一方、測定情報要求信号の入力を検出した場合には、体重計５は、処理ＳＢ１６による測定の結果である測定情報を受像機本体３に出力し（処理ＳＢ１９）、受像機本体３からの完了信号の入力を待機するとともに、測定情報の出力終了時からの経過時間を計測する（処理ＳＢ２０）。
【００４６】
処理ＳＡ１９により、体重計５からの測定情報の入力待機状態にあった受像機本体３は、当該測定情報が入力したか否かを判定する（処理ＳＡ２０）。
ここで、測定情報の入力を検出しなかった場合、ＣＰＵ３１６は、測定情報要求信号を出力してからの経過時間を判定し（処理ＳＡ２１）、所定時間が経過する前であれば、処理ＳＡ１９に戻って測定情報の入力待機状態を継続し、所定時間が経過した後であれば、通信接続に異常が発生したとみなして通信接続を切断し（処理ＳＡ２４）、測定情報取得処理ＳＡを終了する。なお、このような時間は適宜設定してよい。
【００４７】
一方、測定情報の入力を検出した場合、ＣＰＵ３１６の測定情報記憶部３１６２は、システムコントローラ３１９を介して、入力した測定情報を測定者（ユーザ）ごとにフラッシュメモリ３５に記憶する（処理ＳＡ２２）。ここで、測定者に関する情報は、測定情報を取得する際に、体重計５から取得する構成としてもよく、また、フラッシュメモリ３５に記憶する際に、画像情報処理系３１４によりＯＳＤメニューを表示させ、当該ＯＳＤメニュー上で使用者が入力または選択することによって取得する構成としてもよい。
この処理ＳＡ２２による測定情報の記憶の後、受像機本体３の測定情報記憶部３１６２は、測定情報の受信および記憶が完了した旨を示す完了信号を体重計５に出力し（処理ＳＡ２３）、確立していた体重計５との通信接続を切断する（処理ＳＡ２４）。これにより、受像機本体３による測定情報取得処理ＳＡが完了する。
【００４８】
一方、処理ＳＢ２０により完了信号の入力待機状態にある体重計５は、当該完了信号が入力したか否かを判定する（処理ＳＢ２１）。
ここで、完了信号の入力を検出しない場合には、体重計５は、測定情報出力終了時からの経過時間が所定時間以上か否かを判定し（処理ＳＢ２２）、所定時間以下であれば、処理ＳＢ２０に戻って完了信号の入力待機を継続し、所定時間以上であれば、受像機本体３との通信接続にエラーが発生した旨を通知する（処理ＳＢ２３）。例えば、このようなエラー通知は、警告音を鳴らすことによって行ってもよく、また、体重計５に文字表示可能な表示部が設けられている場合には、当該表示部にエラー内容を表示することによって、使用者に通知するようにしてもよい。この処理ＳＢ２３の後、体重計５は、確立していた受像機本体３との通信接続を切断し（処理ＳＢ２４）、体重計５による測定情報出力処理ＳＢを終了する。
また、完了信号入力を検出した場合には、体重計５は、受像機本体３との通信接続を切断し（処理ＳＢ２４）、体重計５による測定情報出力処理ＳＢを完了する。
【００４９】
以上説明した受像機本体３による測定情報取得処理ＳＡは、放送信号に基づくテレビ画像の表示中に行うようにしてもよい。すなわち、受像機本体３の視聴者が、測定情報の取得を認識しないで済むように、画像表示部３３には処理経過が表示されないようにしてもよい。また逆に、測定者を入力または選択させるメニュー画像や、処理経過を表示する経過表示画像を、テレビ画像に重ね合わせて表示したり、あるいは、テレビ画像を縮小して余白に表示させたりするようにしてもよい。
【００５０】
（４）測定情報表示処理ＳＥ
図６および図７は、受像機本体３による測定情報表示処理ＳＥの処理フローを示す図である。
次に、測定情報表示処理ＳＥについて説明する。この測定情報表示処理ＳＥでは、測定情報取得処理ＳＡにより取得されフラッシュメモリ３５に蓄積したユーザごとの測定情報と、デマルチプレクサ３１２および基準情報処理回路３１５により放送信号から取得されフラッシュメモリ３５に記憶された評価基準情報とに基づいて、当該測定情報の集計または総合評価を行い、集計結果または評価結果を画像表示部３３に表示する処理である。
【００５１】
この測定情報表示処理ＳＥは、使用者がリモコン４に設けられた健康管理キーを入力し（処理ＳＣ１）、当該入力操作に応じてリモコン４が測定情報表示処理信号を出力し（処理ＳＤ１）、当該信号を受像機本体３が受信した後に開始される。
すなわち、受像機本体３のシステムコントローラ３１９は、リモコン４からの制御信号の入力待機状態にあり（処理ＳＥ１１）、入力した制御信号の種別を判定する（処理ＳＥ１２）。
ここで、リモコン４から、インターフェース基板３２のリモコンインターフェース３２１を介してシステムコントローラ３１９に入力した制御信号が、測定情報表示処理信号ではない場合には、当該制御信号に応じた処理をシステムコントローラ３１９またはＣＰＵ３１６が実行した後、再び処理ＳＥ１１に戻って、信号入力待機状態を継続する。
【００５２】
一方、入力した制御信号が、測定情報表示処理信号である場合には、ＣＰＵ３１６は、フラッシュメモリ３５を参照して、フラッシュメモリ３５に記憶されている測定情報のユーザ名を取得し、ＲＡＭ３１８に一時的に記憶する（処理ＳＥ１３）。ここで、フラッシュメモリ３５には、ユーザごとにフォルダが形成されているので、ユーザ名を取得する際には、ＣＰＵ３１６は、フラッシュメモリ３５のルートディレクトリに位置するフォルダ名を取得する。
【００５３】
図８は、ユーザ選択画面を示す図である。
この処理ＳＥ１３の後、ＣＰＵ３１９は、画像情報処理系３１４の描画処理回路３１４２にユーザ選択画面生成信号を出力し、当該信号が入力して描画処理回路３１４２は、ＲＯＭ３１７に記憶されたテンプレート画面、および、ＲＡＭ３１８に記憶されたユーザ名情報等から、図８に示すようなユーザ選択画面９１を形成、表示する（処理ＳＥ１４）。
このユーザ選択画面９１は、テレビ画像表示領域９１１と、ユーザ選択領域９１２と、操作説明表示領域９１３とから構成されている。
【００５４】
このうち、テレビ画像表示領域９１１は、放送信号に含まれる画像情報に応じた画像が表示される領域であり、画像表示部３３の全面に表示される場合に比べ、縮小されている。
ユーザ選択領域９１２は、処理ＳＥ１４で取得したユーザ名が表示される。このユーザ選択領域９１２では、リモコン４に設けられた上下キーおよび確定キーの入力操作により、ユーザの選択および確定を実行できるように表示されている。なお、図８において示したユーザ選択画面では、ユーザ名「△△△△」が選択されている。
操作説明表示領域９１３は、ユーザ選択画面９１におけるリモコン４の操作を簡単に説明する領域であり、どのキーを入力した場合に、どのような処理が実行されるかが説明されている。
【００５５】
この処理ＳＥ１４によるユーザ選択画面表示の後、受像機本体３のシステムコントローラ３１９は、ユーザ選択を確定する確定キーに応じた確定信号の入力を待機し（処理ＳＥ１５）、当該確定信号が入力したか否かを判定する（処理ＳＥ１６）。
ここで、確定信号の入力を検出しなかった場合には、受像機本体３のシステムコントローラ３１９は、処理ＳＥ１５に戻り、確定信号の入力待機を続行する。なお、リモコン４の上下キーの入力に対応する信号が入力した場合は、ユーザ選択領域９１２においてユーザが選択されていることを示す選択枠を移動させ、キャンセルキーの入力に応じた信号が入力した場合には、測定情報表示処理ＳＥを終了させる。
【００５６】
一方、使用者によりリモコン４の確定キーが入力され（処理ＳＣ２）、リモコン４が当該確定キーの入力に応じた確定信号を出力し（処理ＳＤ２）、受像機本体３のシステムコントローラ３１９が当該確定信号を検出すると、当該システムコントローラ３１９からの制御信号が入力したＣＰＵ３１６は、ユーザ選択領域９１２の選択枠の位置から選択ユーザを取得する（処理ＳＥ１７）。
そして、ＣＰＵ３１６は、フラッシュメモリ３５を参照して、当該フラッシュメモリ３５に記憶されている選択ユーザの測定情報の項目を取得し、ＲＡＭ３１８に一時的に記憶する（処理ＳＥ１８）。
【００５７】
図９は、測定情報の項目選択画面９２を示す図である。
処理ＳＥ１８の後、ＣＰＵ３１６は、画像情報処理系３１４の描画処理回路３１４２に対して、項目選択画面９２を表示させる項目選択画面表示信号を出力し、当該信号が入力した描画処理回路３１４２は、ＲＯＭ３１７およびＲＡＭ３１８を参照して、図９に示すような測定情報の項目を選択させる項目選択画面９２を形成し、画像表示部３３に表示させる（処理ＳＥ１９）。
【００５８】
この項目選択画面９２は、前述のテレビ画像表示領域９１１および操作説明表示領域９１３と、ユーザ名表示領域９２１と、項目選択領域９２２とから構成されている。
このうち、ユーザ名表示領域９２１は、選択されたユーザ名が表示される。
また、項目選択領域９２２は、ユーザ選択画面９１で選択されたユーザに係る測定情報の項目、および、総合評価を行う「総合評価」が表示される。この項目選択領域９２２は、リモコン４の上下キーの入力により、選択枠が移動するように処理され、また、確定キーの入力により、選択枠によって囲まれた項目が選択されるように処理される。また、キャンセルキーが入力されると、前述のユーザ選択画面９１に戻るように処理される。
【００５９】
この処理ＳＥ１９による項目選択画面９２の表示の後、受像機本体３のシステムコントローラ３１９は、図７に示すように、項目選択を確定する確定キーに応じた確定信号の入力を待機し（処理ＳＥ２０）、当該確定信号が入力したか否かを判定する（処理ＳＥ２１）。
ここで、確定信号の入力を検出しなかった場合には、処理ＳＥ２０に戻って、確定キーの入力を待機する。また、キャンセルキー以外の他のキーが入力された場合には、当該キーの入力に応じた処理を実行し、確定キーの入力待機状態を継続する。
一方、使用者により確定キーが入力され（処理ＳＣ３）、当該確定キーの入力に応じた確定信号がリモコン４から出力され（処理ＳＤ３）、システムコントローラ３１９が当該確定信号の入力を検出すると、ＣＰＵ３１６は、項目選択画面９２の項目選択領域９２２に表示された選択枠の位置から、選択項目名を取得する（処理ＳＥ２２）。
【００６０】
この処理ＳＥ２２の後、ＣＰＵ３１６は、選択された項目が「総合評価」であるか否かの判定を行う（処理ＳＥ２３）。
ここで、「総合評価」でないと判定した場合、ＣＰＵ３１６の測定情報集計部３１６５は、選択された項目の集計処理を行う（処理ＳＥ２４）。
具体的には、測定情報集計部３１６５は、システムコントローラ３１９を介してフラッシュメモリ３５を参照して、選択された項目の所定期間の測定情報を取得し、当該期間の測定情報をグラフ化する。このグラフ化された集計結果は、ＲＡＭ３１８に一時的に記憶される。
なお、この処理ＳＥ２４では、測定情報集計部３１６５は、使用者が設定した集計方法にて集計を行うことができる。例えば、使用者が、集計する日数の調整や月単位の集計への切替を行った場合には、測定情報集計部３１６５は、当該設定に応じて測定情報を集計する。
【００６１】
図１０は、集計結果画面９３を示す図である。なお、図１０においては、血圧に関する測定情報に基づく集計結果画面９３を示しているが、他の項目の集計結果画面も同様の構成とされている。
処理ＳＥ２４の後、ＣＰＵ３１６の集計結果表示指示部３１６６は、画像情報処理系３１４の描画処理回路３１４２に集計結果画面９３を表示させる制御信号を出力し、当該制御信号が入力した描画処理回路３１４２は、ＲＯＭ３１７およびＲＡＭ３１８に記憶された集計結果を参照して、図１０に示すような集計結果画面９３を形成し、画像表示部３３に表示させる（処理ＳＥ２５）。この集計結果画面９３は、集計結果表示領域９３１と、ユーザ／項目名表示領域９３２と、項目選択領域９３３と、操作説明表示領域９３４とから構成されている。
【００６２】
集計結果表示領域９３１は、前述の処理ＳＥ２４で生成した集計結果としてのグラフを表示する。なお、図１０では、ユーザ「△△△△」の過去１０日間の最高血圧および最低血圧の推移を集計結果として表示している。
ユーザ／項目名表示領域９３２は、ユーザ選択画面９１で選択されたユーザ名、および、項目選択画面９２で選択された項目名が表示される。
項目選択領域９３３は、項目選択画面９２での項目選択領域９２２と同様に、選択可能な測定情報の項目名および「総合評価」の項目名が表示されている。なお、集計結果表示領域９３１にて表示している項目は、項目選択領域９３３にて表示される項目からは除かれている。
操作説明表示領域９３４は、集計結果画面９３におけるリモコン４の操作を説明する領域であり、操作説明表示領域９１３にて表示された項目の他に、プリンタ８が接続された場合に、印刷が可能となる表示がされている。
【００６３】
このような処理ＳＥ２４，ＳＥ２５により、フラッシュメモリ３５に蓄積された測定情報の集計結果を得ることができるので、過去の測定情報に基づく健康状態の推移および傾向を容易に把握することができる。
【００６４】
図１１は、項目選択画面９２Ａを示す図である。この図１１に示す項目選択画面９２Ａは、前述の項目選択画面９２における項目選択領域９２３にて「総合評価」を選択している状態と略同じである。
一方、図１１に示す項目選択画面９２Ａで「総合評価」が選択・確定され、処理ＳＥ２３における選択項目の判定により、ＣＰＵ３１６が、選択された項目が「総合評価」であると判定した場合には、当該ＣＰＵ３１６の測定情報評価部３１６３は、ユーザ選択画面９１で選択されたユーザの測定情報を、放送信号から取得した評価基準情報と比較して、健康状態の総合評価を行う（処理ＳＥ２６）。
【００６５】
図１２は、総合評価処理ＳＥ２６の処理フローを示す図である。
総合評価処理ＳＥ２６では、図１２に示すように、測定情報評価部３１６３は、まず、フラッシュメモリ３５に蓄積された選択ユーザの最新の測定情報を取得する（処理ＳＥ２６１）。この取得された測定情報は、ＲＡＭ３１８に一時的に記憶される。
この処理ＳＥ２６１の後、ＣＰＵ３１６は、デマルチプレクサ３１２に制御信号を出力し、当該デマルチプレクサ３１２からの応答信号から、測定情報を評価するための評価基準情報が放送信号から取得できるか否かを判定する（処理ＳＥ２６２）。
【００６６】
ここで、ＣＰＵ３１６が、評価基準情報を放送信号から取得可能であると判定した場合には、デマルチプレクサ３１２および基準情報処理回路３１５に制御信号を出力して、当該デマルチプレクサ３１２および基準情報処理回路３１５により、放送信号から評価基準情報を取得する（処理ＳＥ２６３）。この処理ＳＥ２６３は、本発明の基準情報抽出ステップに相当する。
具体的に、本実施形態では、評価基準情報は、ＥＰＧ（Electronic Program Guide）情報に含まれる形式で搬送される。このため、デマルチプレクサ３１２は、放送信号からＥＰＧ情報を分離して、当該ＥＰＧ情報を基準情報処理回路３１５に出力する。そして、この基準情報処理回路３１５は、入力したＥＰＧ情報から、評価基準情報を分離して取得する。
【００６７】
このような評価基準情報としては、前述のように、例えば、年齢別の体重、体脂肪率および骨密度（ＢＭＤ）の平均値、ＢＭＩ（肥満度）の基準値、最高血圧および最低血圧による血圧の分類等が挙げられる。
なお、基準情報処理回路３１５は、取得した評価基準情報をフラッシュメモリ３５およびＲＡＭ３１８に、項目ごとに分類して記憶する（処理ＳＥ２６４）。これにより、評価基準情報が取得できない場合でも、フラッシュメモリ３５に記憶した評価基準情報に基づいて測定情報の評価を行うことができるので、使用者の所望の時間に総合評価を行うことができる。
【００６８】
ここで、このような評価基準情報が含まれる放送信号としては、デジタル放送信号であることが望ましい。
すなわち、デジタル放送信号には、多くの情報を搬送して送信することが可能であり、これにより、受信側である受像機本体３は、多くの情報を取得することが可能となる。従って、より多岐に渡る評価基準情報を取得することができ、これにより多様な面からの健康評価を行うことができる。
【００６９】
このように、評価基準情報を放送信号から取得することにより、最新の評価基準情報を取得することを容易に行うことができる。
すなわち、評価基準情報は、年単位あるいは月単位で更新されることが一般的であり、受像機本体３のフラッシュメモリ３５に記憶された評価基準情報の更新を行うことができない場合には、古い評価基準情報で測定情報を評価することとなり、評価結果の信頼性が低下する。一方、本実施形態では、放送信号から評価基準情報を取得することとなるので、更新された評価基準情報を含んだ放送信号が受信可能であれば、当該更新された評価基準情報を取得することが可能であるので、最新の評価基準情報に基づく測定情報の評価を行うことができる。従って、評価結果の信頼性を向上することができる。
【００７０】
また、このような評価基準情報を取得する際に、インターネットに接続する必要がないので、構成を簡易にでき、また、確実に評価基準情報を取得することができる。
すなわち、インターネットに接続する場合、接続機器が必要になるため受像機本体３の構成が複雑になるが、本実施形態では放送信号から評価基準情報を取得するので、このような接続機器が不要となる。このため、受像機本体３の構成を簡略化することができる。
また、インターネット等に接続して、評価基準情報を配信するサーバ等にアクセスする場合には、当該サーバを探索したり、評価基準情報を取得したりする際に、接続が切断される可能性がある。このような場合、安定して評価基準情報を取得することができないが、本実施形態の受像機本体３では、放送信号の受信が可能であれば、評価基準情報を取得することができる。従って、確実に評価基準情報の取得を行うことができる。
さらに、インターネットに接続するためには、使用者によって複雑な設定を行う必要があるが、本実施形態では、このような設定を必要とせずに、評価基準情報を取得することが可能である。従って、評価基準情報の取得を簡易に行うことができる。
【００７１】
一方、図１２に示すように、処理ＳＥ２６２において、ＣＰＵ３１６が、評価基準情報を放送信号から取得できないと判定した場合には、当該ＣＰＵ３１６は、フラッシュメモリ３５に過去に記憶した評価基準情報を取得して、ＲＡＭ３１８に一時的に記憶させる（処理ＳＥ２６５）。
【００７２】
処理ＳＥ２６３または処理ＳＥ２６５により評価基準情報を取得した後、ＣＰＵ３１６の測定情報評価部３１６３は、ＲＡＭ３１８に記憶させた測定情報を、同じくＲＡＭ３１８に記憶させた評価基準情報と比較して、それぞれの項目ごとに測定情報の評価を行う（処理ＳＥ２６６）。
例えば、測定情報評価部３１６３は、前述のように、肥満度を算出し、当該肥満度を評価基準情報から得られる肥満度分布と比較して、Ａ〜Ｅの５段階評価を行う。また、測定情報評価部３１６３は、測定情報のうちの最高血圧および最低血圧を、評価基準情報から得られる血圧分類と比較して、同様に、Ａ〜Ｅの５段階評価を行う。
このような項目ごとの評価結果から、総合的なＡ〜Ｅの５段階評価を行い（処理ＳＥ２６７）、項目別の評価結果および総合評価結果を、フラッシュメモリ３５およびＲＡＭ３１８に記憶させる（処理ＳＥ２６８）。なお、この処理ＳＥ２６６およびＳＥ２６７が、本発明の測定情報評価ステップに相当する。
以上により、総合評価処理ＳＥ２６（ＳＥ２６１〜ＳＥ２６８）を終了する。
【００７３】
図１３は、評価結果画面９４を示す図である。
総合評価処理ＳＥ２６の後、ＣＰＵ３１６の評価結果表示指示部３１６４は、図７に示すように、ＲＡＭ３１８に記憶された項目別の評価結果および総合評価結果を参照し、また、ＲＯＭ３１７に記憶されたテンプレート画面を参照して、評価結果画面９４を表示する（処理ＳＥ２７）。なお、この処理ＳＥ２７が、本発明の評価結果表示ステップに相当する。
この評価結果画面９４は、図１３に示すように、集計結果画面９３と同様に、ユーザ／項目名表示領域９３２、項目選択領域９３３および操作説明表示領域９３４を備え、また、集計結果表示領域９３１の代わりに評価結果表示領域９４１を備えて構成されている。
【００７４】
評価結果表示領域９４１は、測定情報評価部３１６３による評価結果が表示される。具体的に、評価結果表示領域９４１には、測定情報評価部３１６３による総合評価と、当該総合評価の基礎となる選択ユーザの測定情報、および、当該測定情報の評価基準となる評価基準情報と、測定情報に付随する性別等の個人情報とが表示される。
このような評価結果画面９４を画像表示部３３に表示することにより、選択ユーザの健康状態の総合評価を容易に確認することができる。
【００７５】
以上のような処理ＳＥ２５による集計結果画面９３の表示、および、処理ＳＥ２７による評価結果画面９４の表示の後、システムコントローラ３１９は、印刷信号が入力したかを判定する（処理ＳＥ２８）。
ここで、印刷信号の入力を検出しなかった場合、または、印刷信号の入力を検出してもプリンタ８が接続されていない場合は、測定情報表示処理ＳＥを終了する。
一方、プリンタ８が接続されている場合において、使用者によりリモコン４の印刷キーが入力され（処理ＳＣ４）、当該印刷キーの入力に応じてリモコン４が印刷信号を出力し（処理ＳＤ４）、システムコントローラ３１９がインターフェース基板３２を介して入力する印刷信号を検出した場合は、画像表示部３３に表示されている集計結果画面９３または評価結果画面９４を印刷する（処理ＳＥ２９）。なお、この印刷については、集計結果画面９３においては、集計結果表示領域９３１のみを、また、評価結果画面９４においては、評価結果表示領域９４１のみを印刷するようにしてもよい。
このような印刷処理ＳＥ２９の終了とともに、測定情報表示処理ＳＥを終了する。
【００７６】
以上説明した本実施形態のテレビ受像機２を含むテレビ受像システムによれば、以下の効果を奏することができる。
すなわち、テレビ受像機２の受像機本体３では、ＣＰＵ３１６の測定情報取得部３１６１が、測定情報取得処理ＳＡにて健康測定機器（体重計５、血圧計６および骨密度計７）から測定情報を取得する。また、デマルチプレクサ３１２および基準情報処理回路３１５が、測定情報表示処理ＳＥの処理ＳＥ２６３で、放送信号から評価基準情報を抽出および取得する。さらに、測定情報評価部３１６３が、処理ＳＥ２６６，ＳＥ２６７で、評価基準情報に基づく測定情報の総合評価を行う。これによれば、最新の評価基準情報の取得を簡易な構成で行うことができ、これに伴い、最新の評価基準情報で測定情報を評価することができるので、評価結果の信頼性を向上することができる。
また、測定情報評価部３１６３による評価結果は、評価結果表示指示部３１６４および画像情報処理系３１４により、処理ＳＥ２７で画像表示部３３に表示される。これにより、評価結果を容易に確認して健康管理を簡易に行うことができる。
さらに、受像機本体３は、当該受像機本体３に接続された健康測定機器から測定情報を取得するので、使用者により測定情報を入力する等の手間を省くことができる。
従って、簡易な構成および操作で、信頼性の高い健康状態の評価結果を得ることができる。
【００７７】
（５）実施形態の変形
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００７８】
前記実施形態では、健康測定機器として、体重計５、血圧計６および骨密度計７を例示したが、本発明はこれらに限定されるものではなく、他の健康測定機器を採用してもよい。すなわち、ユーザの健康状態を何らかの形式で測定する機器であれば、他の機器でもよい。例えば、体温計でもよい。また、血液検査等を行うことのできる検査機器を採用してもよい。
【００７９】
前記実施形態では、記憶手段としてフラッシュメモリ３５を採用したが、本発明はこれに限らず、測定情報および評価基準情報等を記憶可能であれば、他の構成でもよい。例えば、ハードディスク装置や光学ディスクの再生／記録装置でもよい。
【００８０】
前記実施形態では、受像機本体３と健康測定機器（体重計５、血圧計６および骨密度計７）とは、それぞれＵＳＢ端子を備え、当該ＵＳＢ端子により互いに接続するとしたが、本発明はこのような接続形式に限定されるものではない。例えば、ＩＥＥＥ１３９４端子によって接続する形式としてもよく、また、無線によって通信接続する形式としてもよい。
【００８１】
前記実施形態では、各健康測定機器５，６，７は、受像機本体３と接続が確立した後に測定を行うとしたが、本発明はこれに限らない。すなわち、受像機本体３が各健康測定機器５，６，７から測定情報を取得可能に構成されていれば、受像機本体３および健康測定機器５，６，７の構成は、前記実施形態の構成に限定されるものではない。例えば、各健康測定機器５，６，７は、測定情報を記憶可能に構成され、当該健康測定機器と受像機本体３との接続が確立された後、当該受像機本体３からの要求に応じて、記憶していた測定情報を受像機本体３に出力する構成としてもよい。このような場合、各健康測定機器５，６，７における測定と、受像機本体３への測定情報の出力とを分けて行うことができるので、使用者の所望の時間に測定および測定情報の出力を行うことができる。
【００８２】
前記実施形態では、テレビ受像機２は、画像表示部３３が液晶パネルを備える液晶テレビとして構成されるとしたが、本発明はこれに限らない。すなわち、放送信号を受信して、当該放送信号に含まれる画像情報に応じた画像を表示するテレビ受像機であれば、他の構成でもよい。例えば、プラズマディスプレイテレビ、プロジェクションテレビおよびＣＲＴ（Cathode Ray Tube）ディスプレイテレビ等を挙げることができる。
【産業上の利用可能性】
【００８３】
本発明は、放送信号を受信して、当該放送信号に含まれる画像情報に応じた画像を表示するテレビ受像機に好適に利用できる。
【図面の簡単な説明】
【００８４】
【図１】本発明の一実施形態に係るテレビ受像システムの構成を示す模式図。
【図２】前記実施形態における受像機本体の内部構成を示すブロック図。
【図３】前記実施形態におけるＣＰＵの機能分類を示すブロック図。
【図４】前記実施形態における測定情報取得処理および測定情報出力処理の処理フローを示す図。
【図５】前記実施形態における測定情報取得処理および測定情報出力処理の処理フローを示す図。
【図６】前記実施形態における測定情報表示処理の処理フローを示す図。
【図７】前記実施形態における測定情報表示処理の処理フローを示す図。
【図８】前記実施形態におけるユーザ選択画面を示す図。
【図９】前記実施形態における項目選択画面を示す図。
【図１０】前記実施形態における集計結果画面を示す図。
【図１１】前記実施形態における項目選択画面を示す図。
【図１２】前記実施形態における総合評価処理の処理フローを示す図。
【図１３】前記実施形態における評価結果画面を示す図。
【符号の説明】
【００８５】
２…テレビ受像機、３１…制御基板（制御手段）、３２…インターフェース基板（インターフェース）、３３…画像表示部（画像表示手段）、３５…フラッシュメモリ（記憶手段）、３１２…デマルチプレクサ（基準情報抽出部）、３１５…基準情報処理回路（基準情報記憶部）、３１４２…描画処理回路（評価結果表示部、集計結果表示部）、３１６１…測定情報取得部、３１６２…測定情報記憶部、３１６３…測定情報評価部、３１６５…測定情報集計部、３１６６…集計結果表示指示部（集計結果表示部）、ＳＡ…測定情報取得処理（測定情報取得ステップ）、ＳＥ２６３…処理（基準情報抽出ステップ）、ＳＥ２６６，ＳＥ２６７…処理（測定情報評価ステップ）、ＳＥ２７…処理（評価結果表示ステップ）。
【図１】
2006246230.tif 000003
【図２】
2006246230.tif 000004
【図３】
2006246230.tif 000005
【図４】
2006246230.tif 000006
【図５】
2006246230.tif 000007
【図６】
2006246230.tif 000008
【図７】
2006246230.tif 000009
【図８】
2006246230.tif 000010
【図９】
2006246230.tif 000011
【図１０】
2006246230.tif 000012
【図１１】
2006246230.tif 000013
【図１２】
2006246230.tif 000014
【図１３】
2006246230.tif 000015